【事件の表示】
　特願２００８−２４０９２６「化粧支援装置、化粧支援方法、及びプログラム」拒絶査定不服審判事件〔平成２２年　４月　２日出願公開、特開２０１０−　７３００８〕について、次のとおり審決する。
【結　論】
　本件審判の請求は、成り立たない。
【理　由】
第１　手続の経緯
　本願は、平成２０年９月１９日を出願日とする出願であって、手続の概要は以下のとおりである。 
　
拒絶理由通知　　　　　　：平成２４年　６月１４日（起案日）
手続補正　　　　　　　　：平成２４年　８月１６日
拒絶理由通知（最後）　　：平成２５年　１月　４日（起案日）
手続補正　　　　　　　　：平成２５年　３月１３日
補正却下の決定　　　　　：平成２５年　８月１５日
拒絶査定　　　　　　　　：平成２５年　８月１５日（起案日）
拒絶査定不服審判請求　　：平成２５年１１月１５日
手続補正　　　　　　　　：平成２５年１１月１５日
拒絶理由（当審・最後）　：平成２６年　９月１７日（起案日）
　
第２　本願発明
　本願の請求項１に係る発明（以下、「本願発明」という。）は、平成２５年１１月１５日付けの手続補正書により補正された特許請求の範囲の請求項１に記載された事項により特定される、以下のとおりのものである。
　
　　【請求項１】
顔を撮影する撮影手段と、
前記撮影手段で撮影した顔の画像を表示する画像表示手段と、
前記顔の画像上にトレースによる化粧を行うための理想的化粧ラインを重畳させる重畳手段と、
前記理想的化粧ラインと化粧後の化粧ラインとの差に基づいて判定する判定手段と、
流行もしくはユーザの趣味に応じ前記理想的化粧ラインを更新するための見本画像を取り込む通信手段と、
更新した見本画像を格納する記憶手段と、
ユーザから比較タイミングの入力を受け付けるタイミング選択手段と、
を備え、
前記判定手段は、前記受け付けた比較タイミングごとに理想の化粧ラインと実際の化粧ラインとを比較して、色味やコントラストの差分が閾値より大きいか否か判定することを特徴とする化粧支援装置。
　
第３　刊行物の記載事項
（１）刊行物１の記載
　当審における拒絶の理由の通知において引用された特開２００１−２１６３８６号公報（以下、「刊行物１」という。）には、図面と共に以下の事項が記載されている。
　
【０００１】
【発明の属する技術分野】本発明は、サンプルの化粧パターンに合わせた化粧を一人で行うための化粧支援装置に関するものである。本化粧支援装置では、自分で選んだ化粧パターンを、撮影手段で撮影した自分の顔画像に合わせて自分の目の前に表示しておき、鏡のようにそれを見ながら化粧を行う。また、撮影手段で撮影した画像を解析することによって、途中で失敗したり、サンプルと違う色を重ねたりしたときなどに、修正個所の指示やサンプルパターンの変更などが随時顔画像に重畳表示するものである。
　
【０００３】
【発明が解決しようとする課題】化粧のアドバイス等がモデルや図によって示される場合には、ユーザ自身の肌の色や、眉の形、唇の形などに合わせたアドバイスを受けることは困難である。また、実際に販売員にアドバイスを受けても、手順や道具の使い方を誤ったり、また、実際にアドバイスを受けた配色しか出来なかったりするなど、実際に一人で好きなように化粧を行う場合にはパターンが限られると言う問題点があった。
【０００４】本発明は、上記事情に鑑みてなされたもので、その課題は、自分の顔画像に重畳表示された見本パターンやアドバイスを見ながら化粧を行い、それに合わせてアドバイスの変更や修正個所・修正方法の指示などが与えられて、一人で様々なパターンの化粧を行うことが可能となる化粧支援装置を提供することである。
　
【００１２】
【発明の実施の形態】以下、本発明の実施の形態について図を用いて詳細に説明する。
【００１３】図１は本発明の一実施形態例を示す構成図である。本実施形態例の化粧支援装置は、顔画像入力部１、画像投影部２、画像処理部３、指示動作入力部４、および通信部５とで構成されている。
【００１４】顔画像入力部１は、ユーザの顔画像をビデオカメラなどの撮影手段によって入力する。化粧が完了するまで常時入力を行っており、入力画像を画像処理部３に渡す。
【００１５】画像投影部２では、顔画像入力部１及び画像処理部３から得られる画像をユーザの目の前に、あたかも鏡があるかのように投影する。鏡のように、リアルタイムに投影することで、ユーザは鏡を見ながらのように、かつ、アドバイス画像に合わせた化粧を行うことが可能となる。投影手段によって画像を表示する理由は、等身大など、画像を見やすく大きく表示できること、ファッション等も含めて表示でき、ファッションとのコンビネーションを考慮した化粧が可能となること、複数の人が見られること、投影した画像を撮影することで、ジェスチャ認識により操作入力が容易にできること、大型な表示装置がいらないので装置を小型化・携帯化できることなどである。
【００１６】画像処理部３では、ユーザが見本として選んだ化粧見本や、ユーザの顔に合わせて選ばれた化粧見本を、顔画像入力部１によって入力された画像に重畳して表示する。その際、眉や唇、目などの顔部品を抽出し、化粧見本をそれに合わせる。また、色補正技術を利用することで、ユーザの肌に、化粧品の色を重ねた場合の色見本を、見本画像として表示する。また、見本画像としては、雑誌等のイメージを顔画像入力部１や指示動作入力部４の撮影手段により取り込んだものを使用する場合、通信部５によりネットワーク上から取り込む場合、本装置に内蔵した記憶媒体に記憶されたパッケージソフト等、もしくは記憶媒体読取手段などを介して読み取られるパッケージソフト等から選ぶ場合などが考えられる。ユーザがその中で好きなものを選ぶと、それと顔画像入力部１の撮影手段から取り込まれたユーザの顔画像を合成し、部品毎にユーザの顔に合わせた画像を生成して、画像投影部２によって投影する。
　
【００１９】通信部５では、通信手段を介してネットワーク上に存在するデータベース等にアクセスすることによって、本支援装置（端末）に存在しない新たな化粧パターンを取得することができる。それによって、最新の化粧パターンやダウンロードしきれない多種多様な化粧パターンをその場で入手することが可能となる。
　
【００２２】まず、ステップ２１において、見本画像の選択を行う。見本画像は装置に内蔵された記憶媒体、或いはネットワークを介してつながっているデータベース上に存在するものとする。ネットワーク上の画像は更新された新しいものを含み、ユーザは気に入ったものがあれば、その場でダウンロードして保存することも可能とする。ユーザは投影表示された画像の中で自分が見本としたい画像を選択する。選択操作は、音声コマンドにより画像のＮｏ（ナンバー）などを音声認識することによって入力するか、投影表示された画像中のパターンを指差し、その撮影画像をジェスチャ認識（画像認識）することによって入力する。或いは本装置に備えつけられたキーの操作によって入力する手段等を用いて選択操作を行う。
【００２３】次に、ステップ２２で、顔画像入力部１の撮影手段に自分の顔を向け、顔画像の入力を行い、ステップ２３では、ステップ２２で入力された顔画像の顔部品の認識を行う。これは入力された画像中の眉や目、口など化粧に関連する部品の特徴を抽出し、ステップ２１で選択された見本画像をその各部品に合わせて表示するために行う。顔部品の認識方法としては、例えば特開平５−２２５３５４号のような認識方法が適用可能である。
【００２４】この認識方法を顔部品の認識に適用した場合の概要を述べると、入力された画像から得られるパターンを位置決めするための基準点候補となる特徴点を抽出し、それらの基準点候補の組み合わせに応じてそれぞれのパターンの位置合わせを行い、逐次、画像を切り出して複数の照合パターン候補を求め、位置決め条件のテンプレート辞書と照合して、位置、大きさが正規化された照合パターンを選択し、この照合パターンから特徴パターンを求めて、この特徴パターンをカテゴリ辞書の標準特徴パターンと照合することにより、当該照合パターンの部品カテゴリを決定するというものである。
【００２５】次に、ステップ２４において、ステップ２１で入力された見本画像と、ステップ２３で認識された顔部品との合成を行い、ステップ２５において、合成画像をユーザの目の前に投影表示する。その際、化粧見本図だけではなく、順序や使う道具、やり方、コツなどの情報も顔画像が表示されていない背景の部分に表示する。或いは音声で出力するなどの手段でユーザに提供する。また、見本画像と同様の化粧を行うための化粧品の紹介なども行う。
【００２６】次に、ステップ２６で、化粧を開始する。ステップ２５で表示された見本画像とやり方・順序を見て、自分の顔に重畳表示された見本に合わせて化粧を行う。
【００２７】ステップ２７では、修正が必要かどうかを判断する。具体的には、ステップ２５で表示された合成画像と、化粧を行った後の画像の差分を検出する。その結果、はみ出しやずれ、見本色との色の違いなどが検出されれば、修正が必要と判断し、ステップ２８で修正方法の指示を行う。ステップ２７における差分の検出は、一定時間毎に行い、ユーザの進行状況に合わせて修正の指示が行えるようにする。修正については、たとえばチークを失敗した場合は、失敗した個所をファンデーションで押さえるなどの方法の指示や押さえる場所の指示、眉書きで失敗した場合は、綿棒などを使って消す場所の指示など、修正のこつや道具の指示と、修正する個所の指示を行う。また、例えば眉カットで失敗した場合などは、違う形の層への変更など、次のステップ２９で見本パターンの変更によって修正する場合もある。
　
（２）刊行物２の記載
　当審における拒絶の理由の通知において引用された特開２００８−２２１５４号公報（以下、「刊行物２」という。）には、図面と共に以下の事項が記載されている。
　
【０００１】
  本発明は、化粧を支援する化粧支援装置及び方法に関するものである。
　
【００３０】
  上記のように構成された化粧コンパクト２の作用について説明する。ユーザ（対象者）が、自分の顔に眉描きを施し、化粧コンパクト２を撮影モードにし、レリーズボタン９を操作して自分の顔を撮影する。撮影した画像は、ＣＣＤ１４、ＣＤＳ１５、ＡＭＰ１６、Ａ／Ｄ変換器１７、画像入力コントローラ１８、データバス２１を介して、画像データとしてバッファメモリ２４に一時的に記憶される。なお、ユーザは、化粧コンパクト２を撮影モードにした状態で、ＬＣＤ７をビューファインダとして使用することにより、ＬＣＤ７に表示される自分の顔を見ながら化粧を施すことができる。
【００３１】
  顔パーツ識別検出部３１は、画像データがバッファメモリ２４内に記憶されている間に、記憶された画像データに基づいて、対象者の複数の顔パーツ（目、鼻、唇）を識別してそれぞれの位置及びサイズを検出し、検出した顔パーツ検出データを画像データに付加する。そして、バッファメモリ２４に記憶された画像データは、メモリコントローラ２５によって駆動制御されるデータリーダによりＲＡＭ２６に記憶される。
【００３２】
  ＲＡＭ２６に画像データを記憶させた以降（例えば、翌日）に、ユーザが、自分の顔に眉描きを施し、以前に施した眉描き範囲と一致しているか否かを判定する場合には、先ず、ユーザは、レリーズボタン９を操作して自分の顔を撮影する。撮影した画像は、画像データとしてバッファメモリ２４に一時的に記憶される。バッファメモリ２４に記憶された画像データは、顔パーツ識別検出部３１により検出された対象者の複数の顔パーツ（目、鼻、唇）それぞれの位置及びサイズの顔パーツ検出データが付加される。この状態で、ユーザが、モード切替スイッチ１０を操作して化粧コンパクト２を化粧支援モードに切り換えると、画像補正部３２は、ＲＡＭ２６に記憶された記憶画像データにおける対象者の目のサイズと、バッファメモリ２４に記憶された新画像データにおける対象者の目のサイズが一致するように、新画像データの表示画像サイズを補正する。
【００３３】
  画像補正部３２により新画像データが補正されると、ＣＰＵ２０は、記憶画像Ｐ１と新画像Ｐ２とを、目の位置が一致するように重ねてＬＣＤ７に表示する。このとき、記憶画像Ｐ１の上に新画像Ｐ２を表示し、さらには、記憶画像Ｐ１と新画像Ｐ２とを区別するめに、新画像Ｐ２を点滅状態で表示する。
【００３４】
  化粧範囲一致判定部３３は、記憶画像データの記憶眉描き範囲と、補正された新画像データの新眉描き範囲とを検出し、検出した２つの眉描き範囲を比較して、一致しているか否かを判定する。化粧範囲一致判定部３３は、一致していると判定した場合には、一致信号をデータバス２１を介してＣＰＵ２０に入力し、一致していないと判定した場合には、ズレ量を算出してズレ量に応じた不一致信号をＣＰＵ２０に入力する。
　
第４　刊行物に記載された発明
　以上の記載によれば、刊行物１には次の発明（以下、刊行物１発明という。）が記載されている。
　
４ａ．刊行物１発明は、【０００１】等の記載によれば、化粧支援装置に関する発明である。
　
４ｂ．刊行物１の【００１２】−【００１９】に記載の化粧支援装置の構成を前提とした上で【００２２】−【００２７】の記載をみると、刊行物１には、
「見本画像を選択し、
自分の顔を向け、顔画像の入力を行う撮影手段、
顔画像の顔部品の認識を行い、
見本画像と認識された顔部品との合成を行い、
合成画像をユーザの目の前に投影表示し、
自分の顔に重畳表示された見本に合わせて化粧を行い、
表示された合成画像と、化粧を行った後の画像の差分を一定時間毎に検出し、
その結果、はみ出しやずれ、見本色との色の違いなどが検出されれば、修正方法の指示を行う、」
ことが開示されているから、上記各動作（選択、認識、・・等）を行う手段を有しているといえ、刊行物１発明は、
見本画像を選択する手段、
自分の顔を向け、顔画像の入力を行う撮影手段、
顔画像の顔部品の認識を行う手段、
見本画像と認識された顔部品との合成を行う手段、
合成画像をユーザの目の前に投影表示する手段、
自分の顔に重畳表示された見本に合わせて化粧を行い、
表示された合成画像と、化粧を行った後の画像の差分を一定時間毎に検出する手段、
上記検出の結果、はみ出しやずれ、見本色との色の違いなどが検出されれば、修正方法の指示を行う手段、
を有しているといえる。
　
４ｃ．刊行物１発明は、【００２２】の記載によれば、見本画像は、ネットワークを介してつながっているデータベース上からダウンロードして保存することも可能とする手段を有している。
　
４ｄ．まとめ
　以上まとめると、刊行物１発明として、以下のとおりのものを認定することができる。
　
見本画像を選択する手段、
自分の顔を向け、顔画像の入力を行う撮影手段、
顔画像の顔部品の認識を行う手段、
見本画像と認識された顔部品との合成を行う手段、
合成画像をユーザの目の前に投影表示する手段、
自分の顔に重畳表示された見本に合わせて化粧を行い、
表示された合成画像と、化粧を行った後の画像の差分を一定時間毎に検出する手段、
上記検出の結果、はみ出しやずれ、見本色との色の違いなどが検出されれば、修正方法の指示を行う手段、
見本画像は、ネットワークを介してつながっているデータベース上からダウンロードして保存することも可能とする手段、
を有する化粧支援装置。
　
第５　対比
　本願発明と刊行物１発明とを対比する。
　
５ａ．刊行物１発明は、「自分の顔を向け、顔画像の入力を行う撮影手段」を有しているから「顔を撮影する撮影手段」を有している点で本願発明と相違がない。
　
５ｂ．刊行物１発明は、
「自分の顔を向け、顔画像の入力を行う撮影手段、
顔画像の顔部品の認識を行う手段、
見本画像と認識された顔部品との合成を行う手段、
合成画像をユーザの目の前に投影表示する手段」
を有している。
　すなわち、撮影手段で撮影した顔画像から顔部品の認識した後、見本画像と顔部品との合成を行った合成画像を投影しており、合成画像として投影される顔部品の画像は撮影手段で撮影した顔画像から認識したものであるから、撮影手段で撮影した顔画像を投影表示する手段を有しているといえ、刊行物１発明は「前記撮影手段で撮影した顔の画像を表示する画像表示手段」を有しているといえる。
　また、刊行物１発明の見本画像は、【００２５】、【００２６】の記載によれば、「見本画像と同様の化粧を行う」、「自分の顔に重畳表示された見本に合わせて化粧を行う」のであるから、理想的な化粧の態様の画像といえる。
　そして、刊行物１発明は、見本画像と認識された顔部品との合成を行った合成画像を投影しているから、刊行物１発明の合成を行う手段は、前記顔の画像上に理想的な化粧の態様の画像を重畳する手段といえる。
　以上のことから、刊行物１発明は
「前記撮影手段で撮影した顔の画像を表示する画像表示手段と、
前記顔の画像上に理想的な化粧の態様の画像を重畳させる重畳手段と、」
を有している点で本願発明と相違がない。
　もっとも、本願発明の「理想的な化粧の態様の画像」は「トレースによる化粧を行うための理想的化粧ライン」であるのに対し、刊行物１発明はそのような特定がなされていない点で相違する。
　
５ｃ．刊行物１発明は
「自分の顔に重畳表示された見本に合わせて化粧を行い、
表示された合成画像と、化粧を行った後の画像の差分を一定時間毎に検出する手段、
上記検出の結果、はみ出しやずれ、見本色との色の違いなどが検出されれば、修正方法の指示を行う手段」
を有している。
　刊行物１発明の「自分の顔に重畳表示された見本」は、上記５ｂ．で検討したように、理想的な化粧の態様の画像である。
　また、「化粧を行った後の画像」は、化粧後の顔の状態を表す画像といえるから、刊行物１発明は、「前記理想的な化粧の態様の画像と化粧後の顔の状態を表す画像との差」を求めている点で本願発明と対応する。
　もっとも、本願発明では、上記「理想的な化粧の態様の画像」、「化粧後の顔の状態を表す画像」が、「理想的化粧ライン」、「化粧後の化粧ライン」であるのに対して、刊行物１発明では化粧ラインの特定がなされていない点で相違する。
　また、刊行物１発明では、「差分を一定時間毎に検出」し、「上記検出の結果」（すなわち差分の検出の結果に基づいて）、「はみ出しやずれ、見本色との色の違いなどが検出されれば、修正方法の指示を行う手段」を有しているから、「はみ出しやずれ、見本色との色の違いなどが検出」されるか否か判定しているといえ、そのような判定手段を有しているといえる。
　そして、「前記理想的な化粧の態様の画像と化粧後の顔の状態を表す画像との差」を求める比較タイミングについて、本願発明では、「ユーザから比較タイミングの入力を受け付けるタイミング選択手段」を備え、「前記受け付けた比較タイミングごとに理想の化粧ラインと実際の化粧ラインとを比較」しているのに対し、刊行物１発明では、「一定時間毎」に検出している点で相違する。
　また、判定の内容について、刊行物１発明では「はみ出しやずれ、見本色との色の違いなど」を検出しているから、「はみ出しやずれ、見本色との色の違いなど」が閾値よりも大きいか否か判定しているといえるのに対し、本願発明では「色味やコントラストの差分」が閾値より大きいか否か判定しているから、判定する対象が異なる点で相違している。
　以上のことから、刊行物１発明は、
「前記理想的な化粧の態様の画像と化粧後の顔の状態を表す画像との差に基づいて判定する判定手段を備え、
　前記判定手段は、比較タイミングごとに前記理想的な化粧の態様の画像と化粧後の顔の状態を表す画像とを比較して差分が閾値より大きいか否か判定する」
構成を有している点で本願発明と相違がない。
　もっとも、
　本願発明では、上記「理想的な化粧の態様の画像」、「化粧後の顔の状態を表す画像」が、「理想的化粧ライン」、「化粧後の化粧ライン」であるのに対して、刊行物１発明では化粧ラインの特定がなされていない点、
　比較タイミングについて、本願発明では、「ユーザから比較タイミングの入力を受け付けるタイミング選択手段」を備え、「前記受け付けた比較タイミングごとに（理想の化粧ラインと実際の化粧ラインとを）比較」しているのに対し、刊行物１発明では、「一定時間毎」に検出している点、
　判定する対象について、本願発明では「色味やコントラストの差分」であるのに対して、刊行物１発明では「はみ出しやずれ、見本色との色の違いなど」である点、
で相違する。
　
５ｄ．刊行物１発明は、「見本画像は、ネットワークを介してつながっているデータベース上からダウンロードして保存することも可能とする手段」を有している。
　見本画像は、刊行物１の、
「また、見本画像としては、雑誌等のイメージを顔画像入力部１や指示動作入力部４の撮影手段により取り込んだものを使用する場合、通信部５によりネットワーク上から取り込む場合、本装置に内蔵した記憶媒体に記憶されたパッケージソフト等、もしくは記憶媒体読取手段などを介して読み取られるパッケージソフト等から選ぶ場合などが考えられる。ユーザがその中で好きなものを選ぶと、それと顔画像入力部１の撮影手段から取り込まれたユーザの顔画像を合成し、部品毎にユーザの顔に合わせた画像を生成して、画像投影部２によって投影する。」【００１６】
「通信部５では、通信手段を介してネットワーク上に存在するデータベース等にアクセスすることによって、本支援装置（端末）に存在しない新たな化粧パターンを取得することができる。それによって、最新の化粧パターンやダウンロードしきれない多種多様な化粧パターンをその場で入手することが可能となる。」【００１９】
「見本画像の選択を行う。見本画像は装置に内蔵された記憶媒体、或いはネットワークを介してつながっているデータベース上に存在するものとする。ネットワーク上の画像は更新された新しいものを含み、ユーザは気に入ったものがあれば、その場でダウンロードして保存することも可能とする。」【００２２】
の記載からみて、最新の化粧パターンやユーザが気に入ったものであり、「流行もしくはユーザの趣味に応じ」た見本画像といえる。
　そして、刊行物１発明では、「見本画像は、ネットワークを介してつながっているデータベース上からダウンロード」しているから、見本画像を更新するための通信手段を有しているといえ、「ダウンロードして保存することも可能とする手段」を有しているから、「更新した見本画像を格納する記憶手段」を有しているといえる。
　以上まとめると、刊行物１発明は、
「流行もしくはユーザの趣味に応じ前記理想的な化粧の態様の画像を更新するための見本画像を取り込む通信手段と、
更新した見本画像を格納する記憶手段」
を有している点で、本願発明と相違がない。
　もっとも、本願発明の見本画像は「前記理想的化粧ラインを更新するための見本画像」であるのに対し、刊行物１発明の見本画像は「理想的な化粧の態様の見本画像」である点で相違するのは、上記５ｂ．で検討したとおりである。
　
５ｅ．まとめ（一致点・相違点）
　以上まとめると、補正後発明と刊行物１発明とは以下の一致点で一致し相違点で相違する。
　
（一致点）
顔を撮影する撮影手段と、
前記撮影手段で撮影した顔の画像を表示する画像表示手段と、
前記顔の画像上に理想的な化粧の態様の画像を重畳させる重畳手段と、
前記理想的な化粧の態様の画像と化粧後の顔の状態を表す画像との差に基づいて判定する判定手段と、
流行もしくはユーザの趣味に応じ前記理想的な化粧の態様の画像を更新するための見本画像を取り込む通信手段と、
更新した見本画像を格納する記憶手段と
を備え、
前記判定手段は、比較タイミングごとに前記理想的な化粧の態様の画像と化粧後の顔の状態を表す画像とを比較して差分が閾値より大きいか否か判定する
化粧支援装置。
　
（相違点）
相違点１
本願発明では、「理想的な化粧の態様の画像」が「トレースによる化粧を行うための理想的化粧ライン」であるのに対し、刊行物１発明ではそのような特定がなされていない点。
相違点２
本願発明では、上記「理想的な化粧の態様の画像」、「化粧後の顔の状態を表す画像」が、「理想的化粧ライン」、「化粧後の化粧ライン」であるのに対して、刊行物１発明では化粧ラインの特定がなされていない点。
相違点３
比較タイミングについて、本願発明では、「ユーザから比較タイミングの入力を受け付けるタイミング選択手段」を備え、「前記受け付けた比較タイミングごとに（理想の化粧ラインと実際の化粧ラインとを）比較」しているのに対し、刊行物１発明では、「一定時間毎」に検出している点。
相違点４
判定する対象について、本願発明では「色味やコントラストの差分」であるのに対して、刊行物１発明では「はみ出しやずれ、見本色との色の違いなど」である点。
　
第６　判断
　上記相違点について検討する。
　
６ａ．相違点１、相違点２について
　刊行物１の
「画像処理部３では、ユーザが見本として選んだ化粧見本や、ユーザの顔に合わせて選ばれた化粧見本を、顔画像入力部１によって入力された画像に重畳して表示する。その際、眉や唇、目などの顔部品を抽出し、化粧見本をそれに合わせる。」（【００１６】）
「これは入力された画像中の眉や目、口など化粧に関連する部品の特徴を抽出し、ステップ２１で選択された見本画像をその各部品に合わせて表示するために行う。」（【００２３】）
との記載からみて、「眉」も刊行物１の化粧支援装置が対象とする化粧部品であることが理解できる。
　そして、眉の化粧は通常ライン状であり、トレースにより化粧が行われることも普通である。
　してみると、刊行物１発明の対象を上記「眉」としたときには、理想的な化粧の態様の画像は「トレースによる化粧を行うための理想的化粧ライン」となり、化粧後の顔の状態を表す画像は「化粧後の化粧ライン」となることは当業者が容易に想定しえたことである。
　したがって、刊行物１発明において、「理想的な化粧の態様の画像」、「化粧後の顔の状態を表す画像」を「トレースによる化粧を行うための理想的化粧ライン」、「化粧後の化粧ライン」とすることは、当業者が容易になしえたことである。
　
６ｂ．相違点３について
　上記第３の（２）に摘記した刊行物２の記載をみると、化粧支援装置において、以前に化粧をし記憶させた画像データ（見本画像）とレリーズボタン９を操作して自分の顔を撮影した画像（化粧後の画像）とを比較する際に、「レリーズボタン９を操作して自分の顔を撮影し、撮影した画像は、画像データとしてバッファメモリ２４に一時的に記憶し、、ユーザが、モード切替スイッチ１０を操作して化粧コンパクト２を化粧支援モードに切り換えると、ＲＡＭ２６に記憶された記憶画像データにおける対象者の目のサイズと、バッファメモリ２４に記憶された新画像データにおける対象者の目のサイズが一致するように、新画像データの表示画像サイズを補正し、記憶画像データの記憶眉描き範囲と、補正された新画像データの新眉描き範囲とを検出し、検出した２つの眉描き範囲を比較して、一致しているか否かを判定する。」ことが記載されているから、化粧支援装置において、理想的な化粧の態様の画像と化粧後の画像とを「ユーザから比較タイミングの入力を受け付けるタイミング選択手段」を備え、「前記受け付けた比較タイミングごとに（理想の化粧ラインと実際の化粧ラインとを）比較」することが記載されているといえ、刊行物１、刊行物２に記載された発明はいずれも化粧支援装置の理想的な化粧の態様の画像と化粧後の画像とを比較する技術に関するものであるから、上記比較タイミングについて、刊行物１発明の「一定時間毎」に検出する構成を、刊行物２に記載された構成と置き換えて、本願発明の構成とすることは当業者が容易になしえたことである。
　
６ｃ．相違点４について
　二つの画像を比較して、その相違を検出するとき、色味やコントラストの差分を用いることは普通のことであり、刊行物１発明のはみ出しやずれ、色見本との色の違いを検出するとき、色味やコントラストの差分を用いることは当業者が容易になしえたことである。
　
６ｄ．効果
　以上のように、上記各相違点は、当業者が容易に想到し得たものと認められ、本願発明全体としてみても格別のものはなく、その作用効果も、上記相違点に係る構成の採用に伴って当然に予測される程度のものにすぎず、格別顕著なものがあるとは認められない。
　
第７　むすび
　以上のとおり、本願発明は、刊行物１、刊行物２に記載された発明に基づいて、当業者が容易に発明をすることができたものであるから、特許法第２９条第２項の規定により特許を受けることができない。
　したがって、残る請求項２、請求項３に係る発明について検討するまでもなく、本願は拒絶すべきものである。
　よって、結論のとおり審決する。